(57)【要約】【課題】簡易な構成で、ユーザの意図に反して充放電が停止されることを防止する。【解決手段】充放電装置（１）は、充放電が行われる場合に充放電装置本体（２）から取外し可能な状態となり、かつ、充放電が停止される場合に充放電装置本体に返却される必要がある鍵（５１）と、貸与部材が充放電装置本体に返却されることを条件に充放電の停止操作を受け付けるキースイッチ（５０）と、充放電中にコネクタ（３）をロックしておくと共に、停止操作を受け付けた場合に、コネクタのロックを解除するコネクタロック部（３１）と、を備える。【選択図】図１
2019106760.tif 000002
【特許請求の範囲】
【請求項１】
蓄電池を搭載する車両の充電口に接続されるコネクタを備え、前記コネクタを前記充電口に接続することにより、前記蓄電池に対する充放電を行う充放電装置であって、
前記充放電が行われる場合に前記充放電装置の本体から取外し可能な状態となり、かつ、前記充放電が停止される場合に前記本体に返却される必要がある貸与部材と、
前記貸与部材が前記本体に返却されたことを条件に前記充放電の停止操作を受け付ける操作部と、
前記充放電中に前記コネクタをロックしておくと共に、前記操作部が前記停止操作を受け付けた場合に、前記コネクタのロックを解除するコネクタロック部と、を備えることを特徴とする充放電装置。
【請求項２】
前記コネクタが前記充電口に接続されていない状態において、前記貸与部材が取外し可能な状態である場合、前記取外し可能な状態であることを報知する報知部を備えることを特徴とする請求項１に記載の充放電装置。
【請求項３】
前記充放電が行われるたびにパスワードを発行し、かつ当該パスワードの認証を行うパスワード処理部を備え、
前記パスワード処理部は、前記認証に成功した場合に前記停止操作を受け付け、
前記コネクタロック部は、前記パスワード処理部が前記停止操作を受け付けた場合に、前記コネクタのロックを解除することを特徴とする請求項１又は２に記載の充放電装置。
【請求項４】
前記貸与部材は、鍵であり、
前記操作部は、
保持した状態の前記鍵の位置の切替えを可能とする機構であり、
前記鍵の位置が前記充放電を開始するための充放電開始位置に切り替えられた場合のみ、前記鍵の抜差しを可能とすることを特徴とする請求項１から３の何れか１項に記載の充放電装置。
【請求項５】
前記操作部は、前記鍵の位置が前記充放電を停止するための充放電停止位置に切り替えられた場合に、前記停止操作を受け付けることを特徴とする請求項４に記載の充放電装置。
【請求項６】
前記操作部は、前記鍵の位置が前記充放電開始位置に切り替えられ、かつ前記コネクタが前記充電口に接続されている場合に、前記充放電の開始操作を受け付け、
前記コネクタロック部は、前記操作部が前記開始操作を受け付けた場合に、前記コネクタをロックすることを特徴とする請求項４又は５に記載の充放電装置。
【請求項７】
前記充放電装置の電源のオン及びオフの切替えを制御する電源制御部を備え、
前記電源制御部は、前記鍵の位置が前記充放電装置の電源をオフにするための電源オフ位置に切り替えられた場合に、前記電源をオフにすることを特徴とする請求項４から６の何れか１項に記載の充放電装置。
【請求項８】
蓄電池を搭載する車両の充電口に接続されるコネクタを備え、前記コネクタを前記充電口に接続することにより、前記蓄電池に対する充放電を行う充放電装置であって、
前記充放電の開始操作又は停止操作を受け付ける操作部と、
前記充放電が行われるたびに、識別情報を付与した被発行部材を発行する発行部と、
前記発行部により発行された前記被発行部材の前記識別情報を読取ることで、前記操作部による前記停止操作を受付可能とする読取部と、
前記充放電中に前記コネクタをロックしておくと共に、前記操作部が前記停止操作を受け付けた場合に、前記コネクタのロックを解除するコネクタロック部と、を備えることを特徴とする充放電装置。
【発明の詳細な説明】
【技術分野】
【０００１】
本発明は、電動車両に対して充放電を行う充放電装置に関する。
【背景技術】
【０００２】
近年、電気自動車（ＥＶ：Electric Vehicle）、プラグインハイブリッド車（ＰＨＶ：Plug in Hybrid Vehicle、ＰＨＥＶ：Plug-in Hybrid Electric Vehicle）、燃料電池自動車（ＦＣＶ：Fuel Cell Vehicle）等の電動車両が普及している。電動車両が備える蓄電池に対する充放電は、充放電装置により制御される。上記蓄電池に対して充電を行う充電装置の一例が、特許文献１に開示されている。
【０００３】
特許文献１の車両用充電システムは、ユーザの操作に基づき移動させることが可能な駐車設備（機械式駐車設備）に設けられている。車両用充電システムは、電動車両が備える蓄電池へ充電電流を供給する充電電流供給手段と、ユーザの操作に基づき、電動車両への充電電流の引き込み量を低減させる充電電流低減手段と、を備える。また、車両用充電システムは、ユーザが所持する鍵によって操作可能となるキースイッチを備え、充電電流低減手段は、キースイッチがユーザによって操作されたときに引き込み量を低減させる。これにより、機械式駐車設備の消費電力のピーク値を低減することが可能となる。
【０００４】
なお、特許文献２には、屋外の自動販売機に設置されたコインロッカーが開示されている。
【先行技術文献】
【特許文献】
【０００５】
【特許文献１】特開２０１４−２７７２０号公報（２０１４年２月６日公開）
【特許文献２】特開２０１２−１０４１６２号公報（２０１２年５月３１日公開）
【発明の概要】
【発明が解決しようとする課題】
【０００６】
電動車両の蓄電池に対して充放電を行う場合、ユーザは、例えば、充放電装置に設けられたストップボタンを押下することで、充放電を停止できる。しかしながら、ストップボタンは、ユーザ以外の第三者も押下できる。そのため、充放電の停止操作を受け付ける機構としてストップボタンしか充放電装置に設けられていない場合には、第三者による悪戯によって、ユーザの意図に反して充放電が停止されたり、コネクタのロックが解除されたりしてしまう可能性がある。
【０００７】
また、ユーザは、例えば、自身が保持するカードを充放電装置のタッチパネルにかざしたり、自身が保持するパスワードを入力したりすることで、充放電を停止することが可能な場合もある。この場合、カードは、充放電に対して課金する業者等の管理者によって予め発行される。また、パスワードは、管理者によって予め発行されたり、ユーザによって予め設定されたりする。
【０００８】
そのため、ユーザには、カードを管理する必要、又はパスワードを覚えておく必要があるという手間が発生する。また、管理者には、サーバの構築及び管理が必要になるという手間が発生する。
【０００９】
なお、特許文献１には、充電の開始及び停止の具体的な手法に関する開示は無い。また、特許文献１の車両用充電システムでは、機械式駐車設備を使用するためにユーザに予め配布された鍵を用いて操作が行われるが、当該操作によって充電を開始又は停止するものでは無い。
【００１０】
また、特許文献２は、コインロッカーに用いられる鍵の使用例を開示するのみであって、特許文献２には車両の充放電に係る開示は一切ない。
【００１１】
本発明の一態様は、簡易な構成で、ユーザの意図に反して充放電が停止されることを防止することが可能な充放電装置を実現することを目的とする。
【課題を解決するための手段】
【００１２】
上記の課題を解決するために、本発明の一態様に係る充放電装置は、蓄電池を搭載する車両の充電口に接続されるコネクタを備え、前記コネクタを前記充電口に接続することにより、前記蓄電池に対する充放電を行う充放電装置であって、前記充放電が行われる場合に前記充放電装置の本体から取外し可能な状態となり、かつ、前記充放電が停止される場合に前記本体に返却される必要がある貸与部材と、前記貸与部材が前記本体に返却されたことを条件に前記充放電の停止操作を受け付ける操作部と、前記充放電中に前記コネクタをロックしておくと共に、前記操作部が前記停止操作を受け付けた場合に、前記コネクタのロックを解除するコネクタロック部と、を備える。
【００１３】
上記の構成によれば、貸与部材は、充放電が行われる場合に充放電装置の本体から取外し可能な状態となる部材である。また、貸与部材が本体に返却されたことを条件に操作部が停止操作を受け付けた場合に、コネクタのロックは解除される。つまり、取出し可能な状態となった貸与部材が、充放電中に例えばユーザにより取り出されることにより、貸与部材が返却されるまでの間、充放電が停止されたり、コネクタのロックが解除されたりすることが無い。そのため、ユーザ以外の第三者が、例えば悪戯により、充放電を途中で停止させること、及び、停止後にコネクタのロックを解除してしまうことを防止できる。
【００１４】
また、充放電の途中停止を防止するために貸与部材を用いることで、上述したようなユーザ又は管理者の手間が発生しない。
【００１５】
つまり、上記充放電装置によれば、簡易な構成で、ユーザの意図に反して充放電が停止されることを防止できる。
【００１６】
さらに、本発明の一態様に係る充放電装置は、前記コネクタが前記充電口に接続されていない状態において、前記貸与部材が取外し可能な状態である場合、前記取外し可能な状態であることを報知する報知部を備えていても構わない。
【００１７】
貸与部材は充放電中に取外し可能な状態となっている。そのため、貸与部材が取外し可能な状態である場合には、ユーザが充放電を行う意思を有するものと推察できる。従って、貸与部材が取外し可能な状態であるにもかかわらず、コネクタが充電口に接続されていない場合には、充放電装置は、ユーザの上記意思に反した状態であるといえる。
【００１８】
上記の構成によれば、コネクタが充電口に接続されていない状態において、貸与部材が取外し可能な状態である場合に、その旨を報知できる。そのため、充放電を行う意思があるユーザに対して、コネクタを充電口に接続するよう促すことができる。また、第三者による取外しが可能な状態であることをユーザに報知できる。
【００１９】
さらに、本発明の一態様に係る充放電装置では、前記充放電が行われるたびにパスワードを発行し、かつ当該パスワードの認証を行うパスワード処理部を備え、前記パスワード処理部は、前記認証に成功した場合に前記停止操作を受け付け、前記コネクタロック部は、前記パスワード処理部が前記停止操作を受け付けた場合に、前記コネクタのロックを解除しても構わない。
【００２０】
上記の構成によれば、コネクタロック部は、パスワード処理部がパスワードの認証に成功した結果として停止操作を受け付けた場合に、コネクタのロックを解除する。つまり、コネクタロック部は、貸与部材の返却によって操作部が停止操作を受け付けた場合、かつパスワード処理部がパスワードの認証に成功したことによって停止操作を受け付けた場合という２段階の停止操作の受付けによって、コネクタのロックを解除する。
【００２１】
そのため、貸与部材の返却により操作部が停止操作を受け付けることでコネクタのロックが解除される構成に比べ、ユーザが意図しない第三者によるロックの解除をより強固に防止できる。従って、充放電に係る安全性（セキュリティ）をより向上させることができる。
【００２２】
さらに、本発明の一態様に係る充放電装置では、前記貸与部材は、鍵であり、前記操作部は、保持した状態の前記鍵の位置の切替えを可能とする機構であり、前記鍵の位置が前記充放電を開始するための充放電開始位置に切り替えられた場合のみ、前記鍵の抜差しを可能としても構わない。
【００２３】
上記の構成によれば、充放電装置は、ユーザが充放電の開始を意図している場合にのみ鍵の抜差しを可能とする。そのため、ユーザが充放電中に鍵を抜き取ることで、充放電中に、ユーザの意図に反して充放電が停止されることを防止できる。また、鍵の位置が充放電開始位置に無い場合には鍵を抜き取ることができない。そのため、鍵の盗難を防止できる。
【００２４】
また、鍵と上記機構とを備えるため、鍵の位置の切替えにより、操作部は充放電の開始操作又は停止操作を受け付けることができる。したがって、スタートボタン及びスタートボタンが不要となるため、充放電装置の簡素化を図ることができる。
【００２５】
さらに、本発明の一態様に係る充放電装置では、前記操作部は、前記鍵の位置が前記充放電を停止するための充放電停止位置に切り替えられた場合に、前記停止操作を受け付けても構わない。
【００２６】
上記の構成によれば、充放電停止位置に切り替えられた場合に停止操作を受け付けることで、コネクタのロックを解除できる。
【００２７】
さらに、本発明の一態様に係る充放電装置では、前記操作部は、前記鍵の位置が前記充放電開始位置に切り替えられ、かつ前記コネクタが前記充電口に接続されている場合に、前記充放電の開始操作を受け付け、前記コネクタロック部は、前記操作部が前記開始操作を受け付けた場合に、前記コネクタをロックしても構わない。
【００２８】
上記の構成によれば、充放電が確実に開始できる状態において、開始操作を受け付けると共に、コネクタをロックすることができる。
【００２９】
さらに、本発明の一態様に係る充放電装置では、前記充放電装置の電源のオン及びオフの切替えを制御する電源制御部を備え、前記電源制御部は、前記鍵の位置が前記充放電装置の電源をオフにするための電源オフ位置に切り替えられた場合に、前記電源をオフにしても構わない。
【００３０】
上記の構成によれば、鍵を用いて電源をオフにすることができる。そのため、未使用時における充放電装置の待機電力を低減できる。
【００３１】
さらに、上記の課題を解決するために、本発明の一態様に係る充放電装置は、蓄電池を搭載する車両の充電口に接続されるコネクタを備え、前記コネクタを前記充電口に接続することにより、前記蓄電池に対する充放電を行う充放電装置であって、前記充放電の開始操作又は停止操作を受け付ける操作部と、前記充放電が行われるたびに、識別情報を付与した被発行部材を発行する発行部と、前記発行部により発行された前記被発行部材の前記識別情報を読取ることで、前記操作部による前記停止操作を受付可能とする読取部と、前記充放電中に前記コネクタをロックしておくと共に、前記操作部が前記停止操作を受け付けた場合に、前記コネクタのロックを解除するコネクタロック部と、を備える。
【００３２】
上記の構成によれば、充放電が行われるたびに識別情報を付与した被発行部材が発行されると共に、当該被発行部材に付与された識別情報を読取ることで、操作部による停止操作が受付可能となる。また、操作部が停止操作を受け付けた場合に、コネクタのロックが解除される。
【００３３】
つまり、充放電中に、発行された被発行部材をユーザが所持しておくことが可能となる。そのため、ユーザが、所持した被発行部材に付与された識別情報を読取部に読み取らせるまで、充放電が停止されたり、コネクタのロックが解除されたりすることが無い。従って、第三者が、例えば悪戯により、充放電を途中で停止させること、及び、停止後にコネクタのロックを解除してしまうことを防止できる。
【００３４】
また、充放電の途中停止を防止するために、識別情報が付された被発行部材を用いることで、上述したようなユーザ又は管理者の手間が発生しない。
【００３５】
つまり、上記充放電装置によれば、簡易な構成で、ユーザの意図に反して充放電が停止されることを防止できる。
【発明の効果】
【００３６】
本発明の一態様によれば、簡易な構成で、ユーザの意図に反して充放電が停止されることを防止できる。
【図面の簡単な説明】
【００３７】
【図１】実施形態１に係る充放電システムの構成例を示す図である。
【図２】キースイッチの具体例を示す図であり、（ａ）は、２ポジションスイッチの一例を示し、（ｂ）及び（ｃ）は、３ポジションスイッチの一例をそれぞれ示す。
【図３】図２の（ａ）に示す２ポジションスイッチが用いられる場合の、充放電装置の処理の一例を示すフローチャートである。
【図４】図２の（ｂ）に示す３ポジションスイッチが用いられる場合の、充放電装置の処理の一例を示すフローチャートである。
【図５】図２の（ｃ）に示す３ポジションスイッチが用いられる場合の、充放電装置の処理の一例を示すフローチャートである。
【図６】実施形態２に係る充放電システムの構成例を示す図である。
【図７】充放電装置の処理の一例を示すフローチャートである。
【図８】実施形態３に係る充放電システムの構成例を示す図である。
【発明を実施するための形態】
【００３８】
本発明の一態様に係る充放電装置について、以下の各実施形態において説明する。なお、本願において「充放電装置」は、（１）充電及び放電の両方を行うことが可能な充放電装置、（２）充電のみを行う充電装置、並びに、（３）放電動作のみを行う放電装置のいずれかの装置を指す。換言すれば、本願の充放電装置は、充放電装置、充電装置及び放電装置を含む概念である。また、本願において「充放電」は、充電及び放電の両方の動作を包括的に含むものである。つまり、本願の「充放電」は、充電及び放電の少なくともいずれかの動作を指すものである。
【００３９】
〔実施形態１〕
以下、本発明の実施の形態について、詳細に説明する。
【００４０】
〔充放電システムの構成〕
図１は、充放電システムの構成例を示す図である。図１に示すように、充放電システムは、充放電装置１、及び充放電装置１に接続可能な電動車両１００を含む。
【００４１】
充放電装置１は、電動車両１００が搭載する車載蓄電池１０２に対する充放電を制御するものである。充放電装置１は、例えば、公共施設、民間事業者の施設、又は、マンションの駐車場に設置され、不特定多数の者が使用可能である。また、充放電装置１は、例えば、一般住宅の駐車場に設置されても構わない。公共施設、又は民間事業者の施設としては、例えば、高速道路のサービスエリア、又はショッピングモール等の商業複合施設が挙げられる。
【００４２】
電動車両１００は、走行時に用いられる電力を蓄えるための大容量の車載蓄電池１０２を搭載する。電動車両１００は、駆動用の蓄電池を搭載しており、当該蓄電池内の電力を駆動力に変換して走行可能な各種の車両を含む。当該車両としては、例えば、電気自動車（ＥＶ：Electric Vehicle）、プラグインハイブリッド車（ＰＨＶ：Plug in Hybrid Vehicle、ＰＨＥＶ：Plug-in Hybrid Electric Vehicle）、又は燃料電池自動車（ＦＣＶ：Fuel Cell Vehicle）が挙げられる。
【００４３】
〔充放電装置の構成〕
充放電装置１は、充放電装置本体２（本体）、コネクタ３及びケーブル４を備える。
【００４４】
充放電装置本体２は、車載蓄電池１０２に対する充放電を制御するものである。充放電装置本体２は、例えば、（１）ユーザによる入力操作、（２）電動車両１００からの指示、又は、（３）ネットワークを介して接続可能なコントローラ（不図示）からの指示に基づき、車載蓄電池１０２に対する充放電を行う。つまり、充放電装置本体２は、これらのいずれかの指示に基づき、充電運転及び放電運転の開始、停止又は切替えを行う。コントローラとしては、例えばＥＭＳ（Energy Management System）コントローラが挙げられる。
【００４５】
また、充放電装置本体２は、商用電力系統又は電子機器（いずれも不図示）と電力の授受が可能なように接続されていても構わない。この場合、充放電装置本体２は、商用電力系統の停電時に、車載蓄電池１０２内の電力を電子機器に供給する自立運転を行うことが可能である。また、非停電時に、商用電力系統からの電力に加え、車載蓄電池１０２内の電力を電子機器に供給する系統連系運転を行うことも可能である。
【００４６】
また、充放電装置本体２は、充放電装置１の使用に対する料金の支払い（課金）をユーザに要求しても構わない。この場合、例えば、充電量又は充電時間に基づき料金（単価）が予め設定されている。充放電装置本体２は、充放電装置１の使用時に、ユーザに、充電量又は充電時間を入力（選択）させた後に、充電量又は充電時間に基づく料金の支払いを要求する。充放電装置本体２は、料金の支払いが完了した時点で、充放電装置１の使用を許可する。つまり、この場合、充放電前に（事前に）料金の支払いが行われる。
【００４７】
料金の支払いは、充放電装置１による充放電が完了した後（事後）であっても構わない。この場合、後述のように鍵５１（貸与部材）が返却された後に鍵５１の位置が充放電停止位置（例：「停止」位置）に切替えられたとしても、充放電装置本体２は、料金の支払い完了を認識しない限り、コネクタ３のロックを解除しない。
【００４８】
また、充放電装置１は、車載蓄電池１０２に関する電池情報に基づく複数の料金情報（当該料金情報に対応する充放電量）を提示することで、複数の料金情報から１つの料金情報をユーザに選択させても構わない。この場合、例えば、充放電装置本体２は、コネクタ３が電動車両１００の充電口１０１に接続されたときに、車載蓄電池１０２の電池残容量（又は電池充電率）及び電池総容量を示すデータを、電池情報として電動車両１００から取得する。充放電装置本体２は、取得した電池情報、及び、充電量又は充電時間に基づき予め設定された単価に基づき、車載蓄電池１０２の現状の充電率から所定の充電率に到達するまでの料金、又は所定の時間の充放電に係る料金等を算出し、算出した料金をユーザに提示する。充放電装置本体２は、例えば、「電池充電率８０％までの充電＝○○円」、「満充電までの充電＝△△円」、及び「●時間の充電＝▽▽円」といった複数の料金情報を提示する。ユーザにより１つの料金情報が選択されると、充放電装置本体２は、当該料金情報に示される充放電を行う。
【００４９】
なお、料金情報に基づく料金の支払いは、充放電前であっても事後であっても構わない。充放電前であれば、充放電装置本体２は、料金情報に基づく料金の支払いが完了した時点で、充放電装置１の使用を許可する。この場合、鍵５１が返却された後に鍵５１の位置が充放電停止位置に切替えられることで、コネクタ３のロックが解除されて良い。一方、事後であれば、充放電装置本体２は、料金の支払い完了を認識しない限り、コネクタ３のロックを解除しない。
【００５０】
現状の充放電システムでは、会員登録（事前登録）を行い、毎月定額の会員費用を支払うことで、充放電システムの使用を許可している。この場合、充放電システムを使用するために、会員登録を行うという手間が発生する。一方、上記の場合、充放電装置１は、充放電装置１を使用するたびに料金の支払いを要求する。ユーザは、会員登録という手間を発生させることなく、充放電装置１を使用できる。つまり、料金さえ支払えば誰でも充放電装置１を使用できる。また、充電量又は充電時間に基づき料金設定が行われることで、ユーザは、充放電装置１の使用時に、充電量又は充電時間に応じた料金を支払うだけでよい。
【００５１】
なお、会員登録無しで使用できる充放電装置１において、料金の支払い（決済）は、例えば、現金、クレジットカード、又はＩＣ（Integrated Circuit）カード（例：交通系ＩＣカード）によって行われる。
【００５２】
コネクタ３は、電動車両１００の充電口１０１に接続されるものである。充放電装置１は、コネクタ３の充電口１０１への接続により、車載蓄電池１０２に対する充放電を行うことが可能となる。コネクタ３は、充放電時に、充電口１０１にロックされて充電口１０１から外れないようにするための機構であるコネクタロック部３１を備える。
【００５３】
ケーブル４は、一端が充放電装置本体２に接続され、他端にコネクタ３が設けられている。ケーブル４には、例えば、動力線、アナログ線及びＣＡＮ信号線が含まれる。動力線は、車載蓄電池１０２を充放電するために、充放電装置本体２からコネクタ３に、又はコネクタ３から充放電装置本体２に電力を供給するものである。アナログ線及びＣＡＮ信号線は、車載蓄電池１０２の充放電時に、充放電装置本体２とコネクタ３との間でやり取りされる各種の信号を送受信するものである。
【００５４】
〔充放電装置本体の構成〕
充放電装置本体２は、充放電回路１０、報知部２０、電源３０、タッチパネル４０、キースイッチ５０、非常停止ボタン６０及び制御部７０を備える。
【００５５】
充放電回路１０は、内部に設けられた蓄電池（不図示）又は外部からの電力を、車載蓄電池１０２へと供給する（充電運転）。また、充放電回路１０は、車載蓄電池１０２から電力を取り出し、内部に設けられた蓄電池又は外部へと供給する（放電運転）。
【００５６】
報知部２０は、コネクタ３が充電口１０１に接続されていない状態において、後述の鍵５１が取出し可能な状態である場合に、鍵５１が取出し可能な状態であることを報知する。具体的には、報知部２０は、コネクタ３が充電口１０１に接続されていないときに、鍵５１がキースイッチ５０から抜取り可能な状態となっている場合には、抜取り可能な状態であることを報知する。
【００５７】
報知部２０は、上記状態となったときに警告音を発するか、又は上述の報知内容を言語化して報知するスピーカである。これに限らず、報知部２０は、上記状態となったときに点灯（又は点滅）する発光ダイオードであっても構わないし、上述の報知内容を表示する表示部であっても構わない。後者の場合、タッチパネル４０が報知部２０として機能しても構わない。
【００５８】
電源３０は、充放電装置１の各部へ電力を供給する。タッチパネル４０は、ユーザの入力操作を受け付けるとともに、充放電に関する種々の表示を行う。
【００５９】
キースイッチ５０は、ユーザによる充放電の開始操作又は停止操作を受け付ける操作部である。本実施形態では、キースイッチ５０は、鍵５１を保持可能であり、保持した状態の鍵５１の位置を切替え可能とする機構である。
【００６０】
具体的には、キースイッチ５０は、差し込まれた鍵５１が回動可能な機構であり、キースイッチ５０の、鍵５１が一時的に固定された位置に応じて、充放電の開始又は停止を制御可能とする。また、キースイッチ５０は、上記位置に応じて、電源３０のオン又はオフの切替えを制御可能としても構わない。キースイッチ５０の機構は公知のキースイッチを使用できる。
【００６１】
図２は、キースイッチ５０の具体例を示す図である。図２の（ａ）は、２つの位置において鍵５１が一時的に固定される２ポジションスイッチ５０ａの一例を示し、図２の（ｂ）及び（ｃ）は、３つの位置において鍵５１が一時的に固定される３ポジションスイッチ５０ｂ及び５０ｃの一例をそれぞれ示す。
【００６２】
２ポジションスイッチ５０ａは、充放電の開始及び停止を切替え可能とするものである。２ポジションスイッチ５０ａは、図２の（ａ）に示すように、上記位置として、充放電を開始するための「運転」位置と、充放電を停止するための「停止」位置とを有する。「停止」位置では鍵５１の抜取りが不可であり、「運転」位置では鍵５１の抜取りが可能である。
【００６３】
３ポジションスイッチ５０ｂは、充放電の開始及び停止の切替えに加えて、電源３０のオン及びオフを切り替えることが可能な電源切替型のスイッチである。３ポジションスイッチ５０ｂは、図２の（ｂ）に示すように、上記位置として、電源３０をオフにするための「電源ＯＦＦ」位置（電源オフ位置）と、電源３０をオンにするため、又は充放電を停止するための「電源ＯＮ／停止」位置と、充放電を開始するための「運転」位置とを有する。「電源ＯＦＦ」位置及び「電源ＯＮ／停止」位置では鍵５１の抜取りが不可であり、「運転」位置では鍵５１の抜取りが可能である。
【００６４】
３ポジションスイッチ５０ｃは、充放電の開始及び停止の切替えに加えて、充電又は放電の開始を選択可能な充放電切替型のスイッチである。３ポジションスイッチ５０ｂは、上記位置として、図２の（ｃ）に示すように、充電を開始するための「充電」位置と、充放電を停止するための「停止」位置と、放電を開始するための「放電」位置とを有する。「停止」位置では鍵５１の抜取りが不可であり、「充電」位置又は「放電」位置では鍵５１の抜取りが可能である。
【００６５】
このように、キースイッチ５０は、
（１）充放電の開始操作を受付け可能な充放電開始位置として機能する「運転」位置、「充電」又は「放電」位置、及び、
（２）充放電の停止操作を受付け可能な充放電停止位置として機能する「停止」位置又は「電源ＯＮ／停止」位置
を少なくとも有する。そして、鍵５１は、充放電停止位置にあるときに、キースイッチ５０に備え付けられた状態（抜取り不可の状態）となっており、充放電開始位置となったときに初めて、抜取り可能な状態となる。
【００６６】
つまり、鍵５１は、車載蓄電池１０２の充放電が行われる場合に（少なくとも充放電中に）、充放電装置本体２（具体的にはキースイッチ５０）から取外し可能な状態となる部材（ハードキー）である。そして、キースイッチ５０は、鍵５１の位置が充放電開始位置に切り替えられた場合のみ、鍵５１の抜差しを可能とする。
【００６７】
また、キースイッチ５０は、鍵５１の位置が充放電開始位置に切り替えられ、かつコネクタ３が充電口１０１に接続されている場合に、充放電の開始操作を受け付ける。そして、上述したコネクタロック部３１は、キースイッチ５０が開始操作を受け付けた場合に、コネクタ３をロックする。これにより、コネクタロック部３１は、車載蓄電池１０２の充放電中、コネクタ３をロックしておくことが可能となる。
【００６８】
また、鍵５１は、充放電が停止される場合に充放電装置本体２（具体的にはキースイッチ５０）に返却される必要がある部材であり、キースイッチ５０は、鍵５１がキースイッチ５０に返却されたことを条件に充放電の停止操作を受け付ける。本実施形態では、鍵５１が、充放電開始位置で抜き取られた後、再び充放電開始位置に差し込まれ、かつ鍵５１の位置が充放電停止位置に切り替えられた場合に、キースイッチ５０は、充放電の停止操作を受け付ける。そして、コネクタロック部３１は、キースイッチ５０が停止操作を受け付けた場合に、コネクタ３のロックを解除する。
【００６９】
なお、図２の（ａ）に示す２ポジションスイッチ５０ａ、又は図２の（ｂ）に示す３ポジションスイッチ５０ｂの場合、充放電装置本体２は、予め設定された運転モード（充電モード又は放電モード）に従って充放電を行う。例えば、運転モードが充電モードに設定されている場合、充放電装置本体２は、車載蓄電池１０２に対して充電を行う。但し、鍵５１の位置が「停止」位置、又は「電源ＯＦＦ／停止」位置にある場合には、運転モードは、ユーザによる入力操作等に従って切り替えられても構わない。
【００７０】
非常停止ボタン６０は、車載蓄電池１０２の充放電中に、充放電装置１、又は充放電装置１に接続された電動車両１００において不具合が生じた場合等の非常事態が生じた場合に、ユーザが強制的に充放電を停止させるためのものである。
【００７１】
制御部７０は、充放電装置１を統括的に制御するものであり、主として、充放電制御部７１、報知制御部７２、電源制御部７３、操作判定部７４、接続判定部７５、及びコネクタ制御部７６を備える。
【００７２】
充放電制御部７１は、ユーザによる入力操作等に基づき、充放電回路１０を制御することで、車載蓄電池１０２に対する充放電を制御する。また、充放電制御部７１は、充放電中であることを、タッチパネル４０に表示しても構わない。タッチパネル４０への表示に代えて、例えば発光ダイオードを設けておき、発光ダイオードを点灯（点滅）させても構わない。
【００７３】
報知制御部７２は、報知部２０を制御することで、鍵５１が取出し可能な状態である（つまり鍵５１が抜取り可能な状態である）ことを報知する。なお、報知制御部７２は、報知部２０からの報知に代えて、又は報知に加えて、充放電システムの管理者（例：充放電に対して課金する業者）へ通報しても構わない。
【００７４】
電源制御部７３は、タッチパネル４０への電源オンもしくはオフの入力操作、又は、キースイッチ５０に対する入力操作に基づき、電源３０のオン及びオフの切替えを制御する。キースイッチ５０が、例えば図２の（ｂ）に示す３ポジションスイッチ５０ｂである場合、電源制御部７３は、鍵５１の位置が「電源ＯＦＦ」位置に切り替えられた場合に、電源３０をオフにする。
【００７５】
なお、充放電中に「電源ＯＦＦ」位置に切替えられ、その途端に電源３０をオフにすると、充放電装置１又は電動車両１００に不具合が生じる等の問題が生じる可能性がある。そのため、鍵５１の位置が「電源ＯＦＦ」位置に切り替えられた場合、電源制御部７３は、所定の充放電停止動作を行った後に電源３０をオフにすることで、上記問題が生じる可能性を低減できる。
【００７６】
操作判定部７４は、キースイッチ５０に差し込まれた鍵５１の位置を判定することで、キースイッチ５０が受け付けている入力操作がどのような操作であるか否かを判定するものである。
【００７７】
接続判定部７５は、コネクタ３が充電口１０１に接続されているか否かを判定するものである。
【００７８】
具体的には、接続判定部７５は、
（ａ）コネクタ３が充電口１０１に接続されたときに上記アナログ線に電圧もしくは電流に発生したか否かによって、又は、
（ｂ）コネクタ３が充電口１０１に接続されたときに上記ＣＡＮ信号線を介したＣＡＮ通信が開始されたか否かによって、
コネクタ３が充電口１０１に接続されているか否かを判定する。
【００７９】
上記（ａ）の場合、接続判定部７５は、例えば、
（ａ−１）上記アナログ線の一部である充放電コネクタ接続確認線において所定の電位変動が生じた場合に、
（ａ−２）上記アナログ線の一部である第１作業開始停止線に所定の電位変動が生じた場合に、
（ａ−３）上記アナログ線の一部である接地線に所定の電流値を有する電流が流れた場合に、又は、
（ａ−４）上記アナログ線の一部である充放電コネクタ１２Ｖ線と接地線との間に所定の電圧値を有する電圧が印加された場合に、
コネクタ３が充電口１０１に接続されているか否かを判定する。
【００８０】
なお、上記充放電コネクタ接続確認線は、コネクタ３が充電口１０１に接続されたときに電動車両１００側の電源電圧（１２Ｖ）が供給される信号線である。上記第１作業開始停止線は、充放電準備動作の開始を示す開始電位を電動車両１００に対して伝達するための信号線である。上記充放電コネクタ１２Ｖは、電動車両１００に設けられた補助蓄電池（不図示）から電圧が印加される信号線である。上記接地線は、コネクタ３が充電口１０１に接続されたときに電動車両１００側において接地される信号線である。
【００８１】
また、上記第１作業開始停止線には、上記開始電位を伝達するためにオンされるリレー（ｄ１）が配置されている。リレー（ｄ１）がオンされると、規格で定められたシーケンスに従って、充放電準備処理が実行される。具体的には、リレー（ｄ１）がオンされた後に、電動車両１００はＣＡＮ通信によって所定の情報を充放電装置１に送信する。上記（ｂ）の場合、接続判定部７５は、電動車両１００から所定の情報を受信したときに、ＣＡＮ通信が開始されたと判定することで、コネクタ３が充電口１０１に接続されたと判定する。なお、上記の場合に限らず、ＣＡＮ信号線を介して電動車両１００との信号の送受信が開始されたときに、コネクタ３が充電口１０１に接続されたと判定しても構わない。
【００８２】
なお、上記（ａ）及び（ｂ）に関する上述した具体例はあくまで一例である。つまり、接続判定部７５は、電動車両１００の充放電に関する種々の規格に則した手法で、コネクタ３が充電口１０１に接続されているか否かを判定する。
【００８３】
コネクタ制御部７６は、コネクタロック部３１を制御することで、コネクタ３を充電口１０１とロックしたり、そのロックを解除したりする。
【００８４】
〔充放電装置における処理の流れ〕
次に、図３〜図５を用いて、充放電装置１の各種処理の一例について説明する。図３〜図５は、充放電装置１の処理の一例を示すフローチャートである。各処理の開始時においては、鍵５１がキースイッチ５０に差し込まれ、鍵５１の位置が「停止」位置又は「電源ＯＦＦ」位置にある。つまり、鍵５１は、キースイッチ５０からの抜取りが不可の状態となっている。また、コネクタ３は、充電口１０１に接続されていないものとする。
【００８５】
＜２ポジションスイッチの場合の処理例＞
まず、図３を用いて、キースイッチ５０として２ポジションスイッチ５０ａ（図２の（ａ）参照）が設けられている場合の、充放電装置１の処理の一例について説明する。なお、図３の処理においては、電源３０はオンになっているものとする。
【００８６】
まず、操作判定部７４は、鍵５１の位置が「停止」位置から「運転」位置に切り替えられたか否かを判定する（Ｓ１）。「運転」位置に切り替えられたと判定された場合（Ｓ１でＹＥＳ）、接続判定部７５は、コネクタ３が充電口１０１に差し込まれているか否かを判定する（Ｓ２）。このように、ユーザは、鍵５１の位置を「運転」位置に切り替えることで、２ポジションスイッチ５０ａから鍵５１を抜き取ることができる。なお、Ｓ１でＮＯの場合、操作判定部７４はＳ１の処理を継続する。
【００８７】
コネクタ３が充電口１０１に差し込まれていない場合（Ｓ２でＮＯ）、報知制御部７２は、報知部２０を制御することで警告音を発する（Ｓ３）。この状態において、操作判定部７４は、鍵５１の位置が「運転」位置から「停止」位置に切り替えられたか否かを判定する（Ｓ４）。「停止」位置に切り替えられたと判定された場合（Ｓ４でＹＥＳ）、報知制御部７２は警告音を停止し、Ｓ１の処理に戻る。一方、「停止」位置に切り替えられていない場合（Ｓ４でＮＯ）、Ｓ２の処理に戻る。
【００８８】
つまり、鍵の位置が「運転」位置にある場合には、コネクタ３が充電口１０１に差し込まれるまで、報知制御部７２は警告音を発し続ける。これにより、車載蓄電池１０２に充放電を行う意思があるユーザに対して、コネクタ３を充電口１０１に接続するよう促すことができる。また、第三者による抜取りが可能な状態であることをユーザに報知できる。
【００８９】
コネクタ３が充電口１０１に差し込まれていると判定された場合（Ｓ２でＹＥＳ）、警告音が発せられている場合には、報知制御部７２は警告音を停止する（Ｓ６）。また、コネクタ制御部７６は、鍵５１の位置が「運転」位置であり、かつコネクタ３が充電口１０１に接続されているため、コネクタロック部３１を制御することで、コネクタ３をロックする（Ｓ７）。充放電制御部７１は、コネクタ３がロックされた後、充放電回路１０を制御することで、車載蓄電池１０２に対する充放電を開始する（Ｓ８）。
【００９０】
充放電中、操作判定部７４は、鍵５１の位置が「運転」位置から「停止」位置へと切り替えられたか否かを判定する（Ｓ９）。「停止」位置へと切り替わったと判定された場合（Ｓ９でＹＥＳ）、充放電制御部７１は、車載蓄電池１０２に対する充放電を停止する（Ｓ１１）。
【００９１】
また、充放電中、充放電制御部７１は、所定の停止条件を満たしたか否かを判定する（Ｓ１０）。充放電制御部７１は、鍵５１の位置が「運転」位置のままであっても（Ｓ９でＮＯ）、所定の停止条件を満たしたと判定した場合には（Ｓ１０でＹＥＳ）、車載蓄電池１０２に対する充放電を停止する（Ｓ１１）。所定の停止条件を満たしていない場合（Ｓ１０でＮＯ）、Ｓ９の処理に戻る。なお、上記所定の停止条件としては、例えば、予め設定された充放電の終了容量への到達、又は、外部（例：電動車両１００）からの停止指示が挙げられる。
【００９２】
充放電制御部７１による充放電の停止後、操作判定部７４は、鍵５１の位置が「運転」位置から「停止」位置へと切り替えられているか否かを判定する（Ｓ１２）。この時点で「停止」位置に切り替えられた場合、又はＳ９で「停止」位置に切り替えられて充放電が停止された場合には（Ｓ１２でＹＥＳ）、コネクタ制御部７６は、規格で定められた所定のシーケンスに従ってコネクタ３のロックを解除する（Ｓ１３）。
【００９３】
一方、「停止」位置に切り替えられていない場合、つまりＳ９で「停止」位置に切り替えられずに充放電が停止された場合には（Ｓ１２でＮＯ）、操作判定部７４は、「停止」位置へと切り替えられるまで待機する。このとき、報知制御部７２は、２ポジションスイッチ５０ａへの鍵５１の差込み、及び「停止」位置へ切替えを報知することで、ユーザに当該差込み及び切替えを促しても構わない。
【００９４】
このように、ユーザが鍵５１の位置を「運転」位置に切替えた後鍵５１を抜き取れば、充放電装置１は、鍵５１が再び差し込まれ、かつ「停止」位置に切り替えられない限り、又は所定の停止条件を満たさない限り、充放電を停止することは無い。そのため、第三者が、例えば悪戯により、充放電を途中で停止させることを防止できる。
【００９５】
また、鍵５１が再び差し込まれ、かつ「停止」位置に切り替えられない限り、コネクタ３のロックは解除されない。そのため、第三者によるコネクタ３のロック解除を防止できる。
【００９６】
また、会員登録により予め発行されるパスワード等を用いずに、第三者による充放電の停止及びコネクタ３のロック解除の防止を図ることができる。そのため、当該防止のために、ユーザにパスワードを暗記させる等の手間を発生させることが無い。また、当該パスワードの認証のための機構も、会員を管理するサーバとのネットワーク接続も不要であるため、充放電システムの簡素化を図ることができる。さらに、開始操作を受付け可能なスタートボタン、及び停止操作を受付け可能なストップボタンを設けることなく、上記防止を図ることができる。つまり、簡易な構成で、上記防止を図ることができる。
【００９７】
また、（１）鍵５１の位置が「運転」位置に切り替えられた場合にのみ、鍵５１の抜取りが可能となる。また、（２）この状態においてコネクタ３が充電口１０１に接続されていない場合には、報知部２０による報知が行われる。さらに、（３）鍵５１の再び差し込まれ、かつ「停止」位置に切り替えられない限り、コネクタ３のロックは解除されない。コネクタ３のロックが解除されない限り、電動車両１００は充放電装置１に接続されたままとなる。従って、上記（１）〜（３）の構成により、鍵５１の盗難を防止できる。
【００９８】
また、充放電装置１がキースイッチ５０及び鍵５１を備えることで、充放電装置１を使用するために、会員登録、会員登録によって配布されるカード等の持ち運び、及び／又は、携帯型情報端末へのアプリケーションのダウンロード及び操作が不要となる。そのため、充放電装置１を誰でも使用することが可能となる。このような充放電装置１において、第三者による充放電の停止及びコネクタ３のロック解除を防止できることは有用である。
【００９９】
＜３ポジションスイッチ（電源切替型）の場合の処理例＞
次に、図４を用いて、キースイッチ５０として３ポジションスイッチ５０ｂ（図２の（ｂ）参照）が設けられている場合の、充放電装置１の処理の一例について説明する。なお、図４の処理の開始時においては、電源３０はオフになっているものとする。
【０１００】
まず、３ポジションスイッチ５０ｂにおいて、鍵５１の位置が「電源ＯＦＦ」位置から「電源ＯＮ／停止」位置に切り替えられた場合、電源制御部７３は、電源３０をオンにする（Ｓ２１）。電源３０がオフとなっている場合であっても、操作判定部７４の機能（鍵５１の位置の切替え判定）及び電源制御部７３の機能（電源３０のオフからオンへの切替え）が行える程度の電力が、電源３０から制御部７０（具体的には、制御部７０の機能を実行するＣＰＵ（Central Processing Unit））に供給されている。
【０１０１】
その後、操作判定部７４は、鍵５１の位置が「電源ＯＮ／停止」位置から「電源ＯＦＦ」位置に切り替えられたか否かを判定する（Ｓ２２）。「電源ＯＦＦ」位置に切り替えられたと判定された場合（Ｓ２２でＹＥＳ）、電源制御部７３は、電源３０をオフにする（Ｓ２３）。一方、操作判定部７４は、「電源ＯＦＦ」位置に切り替えられていない場合（Ｓ２２でＮＯ）、「電源ＯＮ／停止」位置から「運転」位置に切り替えられたか否かを判定する（Ｓ２４）。「運転」位置に切り替えられたと判定された場合（Ｓ２４でＹＥＳ）、接続判定部７５は、コネクタ３が充電口１０１に差し込まれているか否かを判定する（Ｓ２５）。このように、ユーザは、鍵５１の位置を「運転」位置に切り替えることで、３ポジションスイッチ５０ｂから鍵５１を抜き取ることができる。なお、Ｓ２４でＮＯの場合、操作判定部７４はＳ２２及びＳ２４の処理を継続する。
【０１０２】
コネクタ３が充電口１０１に差し込まれていない場合（Ｓ２５でＮＯ）の処理については、図３のＳ３〜Ｓ５と同じ処理が行われる（Ｓ２６〜Ｓ２８）。コネクタ３が充電口１０１に差し込まれた場合（Ｓ２５でＹＥＳ）の処理については、Ｓ６〜Ｓ１３と同じ処理が行われる（Ｓ２９〜Ｓ３６）。但し、Ｓ２６〜Ｓ３６の処理においては、Ｓ３〜Ｓ１３での「停止」位置を「電源ＯＮ／停止」位置と読み替える。Ｓ３６でコネクタ３のロックが解除された後、Ｓ２２の処理に戻る。
【０１０３】
このように、キースイッチ５０に「電源ＯＮ／停止」位置及び「電源ＯＦＦ」位置が設けられることで、電源３０のオン及びオフの切替え制御が可能となる。そして、コネクタ３が充電口１０１に接続されていないときに、鍵５１の位置を「電源ＯＦＦ」位置に切替えることが可能であるため、未使用時の充放電装置１の待機電力を抑制できる。なお、本処理においても、２ポジションスイッチ５０ａに係る図３の処理における効果を奏する。
【０１０４】
＜３ポジションスイッチ（充放電切替型）の場合の処理例＞
次に、図５を用いて、キースイッチ５０として３ポジションスイッチ５０ｃ（図２の（ｃ）参照）が設けられている場合の、充放電装置１の処理の一例について説明する。なお、図５の処理においては、電源３０はオンになっているものとする。
【０１０５】
まず、操作判定部７４は、鍵５１の位置が「停止」位置から「充電」位置又は「放電」位置に切り替えられたか否かを判定する（Ｓ４１）。「充電」位置又は「放電」位置に切り替えられたと判定された場合（Ｓ４１でＹＥＳ）、接続判定部７５は、コネクタ３が充電口１０１に差し込まれているか否かを判定する（Ｓ４２）。このように、ユーザは、鍵５１の位置を「充電」位置又は「放電」位置に切り替えることで、３ポジションスイッチ５０ｃから鍵５１を抜き取ることができる。なお、Ｓ４１でＮＯの場合、操作判定部７４はＳ４１の処理を継続する。
【０１０６】
コネクタ３が充電口１０１に差し込まれていない場合（Ｓ４２でＮＯ）の処理については、図３のＳ３〜Ｓ５と同じ処理が行われる（Ｓ４３〜Ｓ４５）。
【０１０７】
コネクタ３が充電口１０１に差し込まれていると判定された場合（Ｓ４２でＹＥＳ）、警告音が発せられている場合には、報知制御部７２は警告音を停止する（Ｓ４６）。また、コネクタ制御部７６は、鍵５１の位置が「充電」位置又は「放電」位置であり、かつコネクタ３が充電口１０１に接続されているため、コネクタロック部３１を制御することで、コネクタ３をロックする（Ｓ４７）。
【０１０８】
次に、操作判定部７４は、コネクタ３がロックされた後、Ｓ４１で判定した鍵５１の位置が「充電」位置であるか否かを判定する（Ｓ４８）。充放電制御部７１は、鍵５１の位置が「充電」位置であると判定された場合（Ｓ４８でＹＥＳ）、充放電回路１０を制御することで、車載蓄電池１０２に対する充電を開始する（Ｓ４９）。一方、充放電制御部７１は、鍵５１の位置が「放電」位置であると判定された場合（Ｓ４８でＮＯ）、車載蓄電池１０２に対する放電を開始する（Ｓ５２）。
【０１０９】
充放電中、Ｓ９〜Ｓ１１と同様の処理が行われる。つまり、操作判定部７４は、鍵５１の位置が「充電」位置又は「放電」位置から「停止」位置へと切り替えられたか否かを判定する（Ｓ５０又はＳ５３）。「停止」位置へと切り替わったと判定された場合（Ｓ５０でＹＥＳ又はＳ５３でＹＥＳ）、充放電制御部７１は、車載蓄電池１０２に対する充電又は放電を停止する（Ｓ５５）。
【０１１０】
また、充放電制御部７１は、所定の停止条件を満たしたか否かを判定する（Ｓ５１又はＳ５４）。充放電制御部７１は、鍵５１の位置が「充電」位置又は「放電」位置のままであっても（Ｓ５０でＮＯ又はＳ５３でＮＯ）、所定の停止条件を満たしたと判定した場合（Ｓ５１でＹＥＳ又はＳ５４でＹＥＳ）には、車載蓄電池１０２に対する充電又は放電を停止する（Ｓ５１）。所定の停止条件を満たしていない場合（Ｓ５１でＮＯ又はＳ５４でＮＯ）、Ｓ５０又はＳ５３の処理に戻る。
【０１１１】
その後、図３のＳ１２及びＳ１３と同じ処理が行われる（Ｓ５６及びＳ５７）。但し、Ｓ５６及びＳ５７の処理においては、Ｓ１２及びＳ１３での「運転」位置を「充電」位置又は「放電」位置と読み替える。
【０１１２】
このように、キースイッチ５０に「充電」位置及び「放電」位置が設けられることで、タッチパネル４０等を用いずに鍵５１の位置の変更といった簡易な構成で、運転モードの切替え（選択）を行うことが可能となる。なお、本処理においても、２ポジションスイッチ５０ａに係る図３の処理における効果を奏する。
【０１１３】
〔変形例１：貸与部材の変形例〕
上記では、操作部としてキースイッチ５０が設けられ、貸与部材が鍵５１である場合について説明した。しかし、ユーザの意図に反して充放電が停止されることを防止するための構成としては、これに限られない。例えば、貸与部材が、充放電を開始するときにユーザが取出し可能なカード又は券によって実現されても構わない。
【０１１４】
（１）貸与部材がカードである場合
貸与部材がカードである場合、操作部は、開始操作を受け付けた場合にカードを抜取り可能とし、それ以外の場合にはカードを抜取り不可とするカード処理機構によって実現される。操作部は、カードが挿入される挿入口を有し、カードが挿入口に返却されることで停止操作を受け付ける。また、本態様の場合、タッチパネル４０、又はスタートボタン（不図示）によって開始操作を受け付ける。つまり、タッチパネル４０、又はスタートボタンも操作部として機能する。
【０１１５】
例えば、カードが抜取り不可の状態である場合に、操作部は、開始操作を受け付けると、カードを抜取り可能な状態とする。そして、制御部７０は、コネクタ３が充電口１０１に接続されたと判定すると、コネクタ３をロックした後、車載蓄電池１０２に対する充放電を行う。
【０１１６】
カードが操作部へ返却された場合、制御部７０は、停止操作を受け付けたと判定し、車載蓄電池１０２に対する充放電を停止した後、コネクタ３のロックを解除する。また、制御部７０は、所定の停止条件を満たして充放電を停止した場合には、カードが返却されるまで、コネクタ３のロックを解除しない。
【０１１７】
なお、タッチパネル４０、又はストップボタン（不図示）が停止操作を受け付けても構わない。この場合、操作部は、タッチパネル４０、スタートボタン又はストップボタンで実現され、操作部とは別にカード処理機構が設けられる。また、カードが返却されることで、タッチパネル４０又はストップボタンは停止操作を受付可能な状態となる。
【０１１８】
（２）貸与部材が券である場合
貸与部材が券である場合、操作部は、開始操作を受け付けた場合に券を発行する発券機構によって実現される。操作部は、開始操作を受け付けるたびに新たな券（使い捨ての券）を発行する点で、備え付けのカードとは異なる。また、操作部は、券が挿入される挿入口を有し、挿入口に発行した券が返却されることで停止操作を受け付ける。なお、本態様の場合についても、操作部は、タッチパネル４０、スタートボタン又はストップボタンで実現され、操作部とは別に発券機構が設けられても構わない。
【０１１９】
例えば、操作部は、開始操作を受け付けると券を発行する。その後、制御部７０は、コネクタ３が充電口１０１に接続されたと判定すると、コネクタ３をロックした後、車載蓄電池１０２に対する充放電を行う。その後の処理は、貸与部材がカードの場合と同じである。
【０１２０】
〔変形例２：抜差し判定可能な構成〕
上記では、操作判定部７４は、キースイッチ５０において、鍵５１の位置がいずれの位置にあるか否かを判定するが、これに限られない。操作判定部７４は、鍵５１の抜差しを判定できる構成であっても構わない。但しこの場合、キースイッチ５０は、当該判定を可能とする機構であることを要する。
【０１２１】
〔変形例３：抜取り可能な鍵の放置防止〕
充放電開始位置に切り替えられることで、鍵５１はキースイッチ５０から抜取り可能となる。そのため、この状態においては、ユーザだけでなく第三者も鍵５１を抜き取ることが可能となる。鍵５１の抜取り忘れを防止するために、例えば、報知制御部７２は、操作判定部７４が充放電開始位置に切り替えられたと判定してから所定の時間が経過した場合に、抜取り忘れの可能性を警告音等によって報知しても構わない。
【０１２２】
また、操作判定部７４は、鍵５１が抜き取られたか否かの判定を行うことが可能な構成である場合、充放電開始位置に切り替えられてから所定の時間経過後に、鍵５１が抜き取られていない場合に、鍵５１の抜取り忘れが発生していることを報知しても構わない。
【０１２３】
〔変形例４：その他の変形例〕
充放電装置１は、コネクタ３を複数備えるマルチ型の充放電装置であっても構わない。この場合、キースイッチ５０及び鍵５１は、コネクタ３毎に設けられる。これにより、１台の充放電装置１によって複数の電動車両１００に対する充放電を行うことができると共に、簡易な構成で、ユーザの意図に反して各電動車両１００の充放電が停止されることを防止できる。
【０１２４】
また、キースイッチ５０に備え付けられた鍵５１のマスターキーが、別途準備されており、充放電システムの管理者によって所有されても構わない。この場合、ユーザだけでなく管理者も、マスターキーを用いた充放電の開始又は停止、ひいてはコネクタ３のロックを制御できる。これにより、鍵５１の紛失又は盗難によって充放電装置１が機能しなくなるといった事態を回避できる。
【０１２５】
また、２ポジションスイッチ５０ａ又は３ポジションスイッチ５０ｃが、電源３０のオン及びオフの切替えが可能な構成であっても構わない。この場合の２ポジションスイッチ５０ａでは、「運転」位置が電源３０をオフからオンへと切り替えるための位置として機能し、「停止」位置が電源３０をオンからオフへと切り替えるための位置として機能する。また、３ポジションスイッチ５０ｃでは、「充電」位置又は「放電」位置が電源３０をオフからオンへと切り替えるための位置として機能する。そして、図３及び図５の処理においては、最初に、「運転」位置、「充電」位置又は「放電」位置に切り替えられることで電源３０がオンとなると共に、「停止」位置に切り替えられることで、電源３０がオフとなる。
【０１２６】
〔実施形態２〕
本発明の他の実施形態について、以下に説明する。
【０１２７】
〔充放電装置の構成〕
図６は、充放電装置１ａの構成例を示す図である。本実施形態の充放電装置１ａは、図６に示すように、充放電装置本体２ａが制御部７０ａを備えている点で、実施形態１の充放電装置１とは異なる。具体的には、制御部７０ａが、制御部７０が備える各構成に加え、パスワード処理部７７を備える点で、実施形態１の充放電装置１とは異なる。
【０１２８】
パスワード処理部７７は、パスワードを発行すると共に、発行したパスワードと、ユーザが入力したパスワードとが一致するか否かといったパスワードの認証を行う。そして、パスワード処理部７７は、パスワードの認証に成功したと判定した場合に、充放電の停止操作を受け付ける。
【０１２９】
パスワード処理部７７は、充放電が行われるたびにパスワードを発行する。パスワードは、例えば、充放電を完了するためのもの（具体的には、コネクタ３のロックを解除するためのパスワード）である。また、パスワード処理部７７は、発行したパスワードをタッチパネル４０に表示する。タッチパネル４０は、パスワード処理部７７が発行したパスワードを表示すると共に、パスワードの入力操作を受け付ける。
【０１３０】
コネクタ制御部７６は、コネクタ３がロックされている状態において、鍵５１がキースイッチ５０に差し込まれ、かつ「停止」位置又は「電源ＯＮ／停止」位置に切替えられた場合に加え、パスワードの認証に成功した場合に、コネクタ３のロックを解除する。
【０１３１】
〔充放電装置における処理の流れ（二重ロックが可能な場合の処理例）〕
次に、図７を用いて、充放電装置１ａの処理の一例について説明する。図６は、充放電装置１ａの処理の一例を示すフローチャートである。本処理では、キースイッチ５０として３ポジションスイッチ５０ｃが設けられている場合を例に挙げて説明する。しかし、２ポジションスイッチ５０ａ又は３ポジションスイッチ５０ｂであっても同様の処理がなされることは、図７を用いた以下の説明により十分に理解されよう。
【０１３２】
また、本処理の開始時においては、鍵５１がキースイッチ５０に差し込まれ、鍵５１の位置が「停止」位置にある。つまり、鍵５１は、キースイッチ５０からの抜取りが不可の状態となっている。また、コネクタ３は、充電口１０１に接続されていないものとする。
【０１３３】
また、本処理の開始時においては、電源３０はオフとなっている。また、本処理で用いられる３ポジションスイッチ５０ｃは、電源３０のオン及びオフの切替えを行うことが可能な構成である。
【０１３４】
図７に示すように、３ポジションスイッチ５０ｃにおいて、鍵５１の位置が「停止」位置から「充電」位置又は「放電」位置に切り替えられた場合、電源制御部７３は、電源３０をオンにする（Ｓ６１）。このように、ユーザは、鍵５１の位置を「充電」位置又は「放電」位置に切り替えることで、３ポジションスイッチ５０ｃから鍵５１を抜き取ることができる。
【０１３５】
その後、操作判定部７４は、鍵５１の位置が「充電」位置又は「放電」位置から「停止」位置に切り替えられたか否かを判定する（Ｓ６２）。「停止」位置に切り替えられたと判定された場合（Ｓ６２でＹＥＳ）、電源制御部７３は、電源３０をオフにする（Ｓ６６）。一方、「停止」位置に切り替えられていない場合（Ｓ６２でＮＯ）、接続判定部７５は、コネクタ３が充電口１０１に差し込まれているか否かを判定する（Ｓ６３）。
【０１３６】
コネクタ３が充電口１０１に差し込まれていない場合（Ｓ６３でＮＯ）、報知制御部７２は、報知部２０を制御することで警告音を発する（Ｓ６４）。この状態において、操作判定部７４は、鍵５１の位置が「充電」位置又は「放電」位置から「停止」位置に切り替えられたか否かを判定する（Ｓ６５）。「停止」位置に切り替えられたと判定された場合（Ｓ６５でＹＥＳ）、報知制御部７２は警告音を停止し、電源３０をオフにする（Ｓ６６）。一方、「停止」位置に切り替えられていない場合（Ｓ６５でＮＯ）、Ｓ６３の処理に戻る。
【０１３７】
コネクタ３が充電口１０１に差し込まれていると判定された場合（Ｓ６３でＹＥＳ）、パスワード処理部７７は、パスワードを発行する（Ｓ６７）。このとき警報音が報知されている場合には、報知制御部７２は警報音を停止する。その後、コネクタ制御部７６は、コネクタロック部３１を制御することで、コネクタ３をロックする（Ｓ６８）。充放電制御部７１は、コネクタ３がロックされた後、充放電回路１０を制御することで、車載蓄電池１０２に対する充放電を開始する（Ｓ６９）。具体的には、充放電制御部７１は、鍵５１の位置が「充電」位置であれば充電を開始し、「放電」位置であれば放電を開始する。
【０１３８】
充放電中、操作判定部７４は、鍵５１の位置が「充電」位置又は「放電」位置から「停止」位置へと切り替えられたか否かを判定する（Ｓ７０）。「停止」位置へと切り替わったと判定された場合（Ｓ７０でＹＥＳ）、充放電制御部７１は、車載蓄電池１０２に対する充電又は放電を停止する（Ｓ７３）。
【０１３９】
また、パスワード処理部７７は、発行したパスワードが入力されたか否かを判定する（Ｓ７１）。鍵５１の位置が「充電」位置又は「放電」位置のままであっても（Ｓ７０でＮＯ）、発行したパスワードが入力されたとパスワード処理部７７により判定された場合（パスワードの認証に成功した場合）（Ｓ７１でＹＥＳ）、充放電制御部７１は、車載蓄電池１０２に対する充電又は放電を停止する（Ｓ７３）。
【０１４０】
また、充放電制御部７１は、所定の停止条件を満たしたか否かを判定する（Ｓ７２）。充放電制御部７１は、鍵５１の位置が「充電」位置又は「放電」位置のままであり、かつ発行したパスワードが入力されていない場合であっても（Ｓ７１でＮＯ）、所定の停止条件を満たしたと判定した場合には（Ｓ７２でＹＥＳ）、車載蓄電池１０２に対する充電又は放電を停止する（Ｓ７３）。所定の停止条件を満たしていない場合（Ｓ７２でＮＯ）、Ｓ７０の処理に戻る。
【０１４１】
充放電制御部７１による充放電の停止後、パスワード処理部７７は、発行したパスワードが入力されたか否かを判定する（Ｓ７４）。この時点でパスワードの認証に成功した場合、又はＳ７１で認証に成功して充放電が停止された場合には（Ｓ７４でＹＥＳ）、操作判定部７４は、鍵５１の位置が「充電」位置又は「放電」位置から「停止」位置へと切り替えられているか否かを判定する（Ｓ７５）。この時点で「停止」位置に切り替えられた場合、又はＳ７０で「停止」位置に切り替えられて充放電が停止された場合には（Ｓ７５でＹＥＳ）、コネクタ制御部７６はコネクタ３のロックを解除する（Ｓ７６）。
【０１４２】
一方、発行したパスワードが入力されていない場合（Ｓ７４でＮＯ）、又は、「停止」位置に切り替えられていない場合（Ｓ７５でＮＯ）、Ｓ７４の処理に戻る。具体的には、パスワード処理部７７は、発行したパスワードが入力されるまでその入力を待機する。また、操作判定部７４は、「停止」位置へと切り替えられるまで待機する。つまり、パスワードの認証に成功することで停止操作を受け付け、かつ３ポジションスイッチ５０ｃが停止操作を受け付けた場合に初めて、コネクタ３のロックが解除される。
【０１４３】
このように、充放電装置１ａは、充放電のたびに発行されるパスワードの認証により、コネクタ３のロック解除の可否を判断する。そのため、実施形態１の充放電装置１が奏する効果に加え、ユーザが意図しない第三者によるコネクタ３のロック解除をより強固に防止できる。
【０１４４】
なお、３ポジションスイッチ５０ｃは、電源３０のオン及びオフの切替えを行うことができなくてもよい。この場合、Ｓ６１及びＳ６６の処理は行われない。またこの場合、電源３０はオンとなっている。
【０１４５】
〔実施形態３〕
本発明の他の実施形態について、以下に説明する。
【０１４６】
実施形態１では、貸与部材（例：鍵５１、カード又は券）を用いる場合について説明したが、この貸与部材に代えて、充放電を開始するときに発行される紙片（被発行部材）が用いられても構わない。
【０１４７】
図８は、充放電装置１ｂの構成例を示す図である。図８に示すように、充放電装置１ｂは、（１）充放電装置本体２ｂが、キースイッチ５０及び鍵５１に代えて発行部８０及び読取部９０を備える点、及び（２）制御部７０ｂが操作判定部７４ｂ（操作部）及び発行処理部７８を備える点で、実施形態１の充放電装置１とは異なる。
【０１４８】
発行部８０は、充放電が行われるたびに、識別情報を付与した紙片を発行する紙片発行機構である。識別情報は、各紙片を識別するための情報である。発行部８０は、識別情報として例えばＱＲコード（登録商標）を各紙片に印字する。発行処理部７８は、タッチパネル４０（操作部）が開始操作を受け付けるたびに、識別情報を付与した後、当該紙片を発行するよう発行部８０を制御する。
【０１４９】
読取部９０は、発行部８０により発行された紙片に付与された識別情報を読取ることで、操作判定部７４ｂによる停止操作を受付可能とする。
【０１５０】
操作判定部７４ｂは、読取部９０による識別情報の読取りにより停止操作を受け付ける。具体的には、操作判定部７４ｂは、読取部９０が読み取った紙片の識別情報を、発行部８０が当該紙片の発行時に付与した識別情報と照合する。操作判定部７４ｂは、照合の結果、これらの識別情報が一致していると判定した場合に、停止操作を受け付ける。
【０１５１】
充放電装置１ｂにおいては、例えば、タッチパネル４０が開始操作を受け付けると、発行部８０は識別情報を付与した状態で紙片を発行する。その後、制御部７０ｂは、コネクタ３が充電口１０１に接続されたと判定すると、コネクタ３をロックした後、車載蓄電池１０２に対する充放電を行う。
【０１５２】
充放電を停止、又はコネクタ３のロックを解除する場合、ユーザは、読取部９０に紙片をかざして、紙片に付与された識別情報を読み取らせる。操作判定部７４ｂは、識別情報の照合を行う。照合に成功した場合、操作判定部７４ｂは停止操作を受け付ける。これにより、制御部７０ｂは、車載蓄電池１０２に対する充放電を停止した後、コネクタ３のロックを解除する。また、制御部７０ｂは、所定の停止条件を満たして充放電を停止した場合には、上記照合に成功するまで、コネクタ３のロックの解除を行わない。
【０１５３】
なお、タッチパネル４０に代わり、スタートボタン（不図示）によって開始操作を受け付けても構わない。この場合、スタートボタンが操作部として機能する。また、タッチパネル４０、又はストップボタン（不図示）が停止操作を受け付けても構わない。この場合、操作部は、タッチパネル４０、スタートボタン又はストップボタンで実現される。
【０１５４】
また、実施形態１の変形例として記載した券に、上述した紙片と同様に識別情報が付与されても構わない。つまりこの場合、上述した券は、被発行部材として機能する。また、発行部８０は、上述した発券機構の機能を有する。操作判定部７４ｂは、券に付与された識別情報の照合結果に基づき、停止操作を受け付ける。
【０１５５】
〔ソフトウェアによる実現例〕
充放電装置１の制御ブロック（特に、充放電装置本体２の制御部７０が備える各部、及び充放電装置本体２ａの制御部７０ａが備える各部）は、集積回路（ＩＣチップ）等に形成された論理回路（ハードウェア）によって実現してもよいし、ソフトウェアによって実現してもよい。
【０１５６】
後者の場合、充放電装置１は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１５７】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１５８】
１  充放電装置、１ａ  充放電装置、２  充放電装置本体（本体）、２ａ  充放電装置本体（本体）、２ｂ  充放電装置本体（本体）、３  コネクタ、２０  報知部、３０  電源、３１  コネクタロック部、４０タッチパネル（操作部）、５０  キースイッチ（操作部）、５０ａ  ２ポジションスイッチ（操作部）、５０ｂ  ３ポジションスイッチ（操作部）、５０ｃ  ３ポジションスイッチ（操作部）、５１  鍵（貸与部材）、７３  電源制御部、７４ｂ  操作判定部（操作部）、７７  パスワード処理部、８０  発行部、９０  読取部、１００  電動車両（車両）、１０１  充電口、１０２  車載蓄電池（蓄電池）
【図１】
2019106760.tif 000003
【図２】
2019106760.tif 000004
【図３】
2019106760.tif 000005
【図４】
2019106760.tif 000006
【図５】
2019106760.tif 000007
【図６】
2019106760.tif 000008
【図７】
2019106760.tif 000009
【図８】
2019106760.tif 000010